【手続補正書】
【提出日】平成27年1月19日(2015.1.19)
【手続補正１】
【補正対象書類名】特許請求の範囲
【補正対象項目名】全文
【補正方法】変更
【補正の内容】
【特許請求の範囲】
【請求項１】
Ｙ方向にｎ（正の整数）個の行を有し、前記Ｙ方向と直交するＸ方向にｍ（正の整数）個の列を有する（ｎ×ｍ）個のセルを持つ２次元エリア上に、１以上のセルに対応する複数のボタンが配置されたメニュー画面を表示する表示手段と、
操作入力に応じて、ボタンのフォーカスの位置を移動する制御手段と、を有し、
前記制御手段は、
Ｙ方向へフォーカスを移動させる操作入力に応じて、少なくとも１つのセルを含むボタンのフォーカスを移動させる、又は、同じ列で、あるボタンから少なくとも１つの隣接するボタンへフォーカスを移動させる、又は第１の列の一端に位置するボタンから前記第１の列の他端に位置するボタンへフォーカスを移動させるものであって、
Ｘ方向へフォーカスを移動させる操作入力に応じて、同じ行で、少なくとも１つの隣接するボタンへフォーカスを移動させる、又は第１の行の一端に位置するボタンから前記第１の行に隣接する第２の列の他端に位置するボタンへフォーカスを移動させる、ものであり、
前記表示手段により表示されるメニュー画面は、
ログインされていない状態である場合、第１のメニュー画面であり、単一のユーザのアカウントにログインされている状態である場合、前記第１のメニュー画面とは異なる第２のメニュー画面であり、複数のユーザのアカウントにログインされている状態である場合、前記第１のメニュー画面及び前記第２のメニュー画面とは異なる第３のメニュー画面であり、
前記第１のメニュー画面、前記第２のメニュー画面、及び前記第３のメニュー画面は、複数のボタンとオンエアー番組の表示領域を有する、
情報処理装置。
【請求項２】
前記表示手段は、
前記第３のメニュー画面において、第１のガイド画像、第２のガイド画像及び第３のガイド画像を表示し、前記第１のガイド画像は現在ユーザが視聴している番組を同時視聴している人のリストであり、前記第２のガイド画像は装置をネットワークに接続しているがユーザが視聴している番組とは異なる番組を視聴している人のリストであり、第３のガイド画像は装置をネットワークに接続していない人のリストである、請求項１記載の情報処理装置。
【請求項３】
複数のセルを含むタイルに表示される１つのガイド画像は、カレンダーの画像である請求項１記載の情報処理装置。
【請求項４】
前記セル上に表示されるガイド画像は、着信メッセージの受信箱を開くためのガイド画像である請求項１記載の情報処理装置。
【請求項５】
前記セル上に表示されるガイド画像は、着信メッセージの受信箱を開くためのガイド画像であり、前記ガイド画像の一部に着信数を示す数字が表示される請求項１記載の情報処理装置。
【請求項６】
前記表示手段は、
さらにメニュー画像の種類を示す複数のタブを画面の水平方向へ配列するように表示し、選択されたメニュー画像のタブを、ハイライトして表示する請求項１記載の情報処理装置。
【請求項７】
前記表示手段は、
さらにメニュー画像の種類を示す複数のタブを画面の水平方向へ配列するように表示し、
前記Ｘ方向へフォーカスを移動させる操作に応じて、Ｘ方向制御手段が、前記タブの行の一端のタブから前記タブの行の他端のタブへ、行を変化させることなく同じＸ方向へ、フォーカスを移動させるように構成されている、請求項１記載の情報処理装置。
【請求項８】
表示器の画面に表示用の２次元エリアを確保するエリア確保手段と、前記２次元エリアの一部を選択的に指示するフォーカスを移動制御する制御手段を用いる情報処理装置に適用される情報処理方法であって、
前記２次元エリアがＹ方向にｎ（正の整数）個の行を有し、前記Ｙ方向と直交するＸ方向にｍ（正の整数）個の列を有する（ｎ×ｍ）個のセルを持ち、
前記情報処理方法は、
１以上のセルに対応する複数のボタンを配置して表示し、
操作入力に応じて、ボタン上のフォーカスの位置を移動し、
フォーカスをＹ方向へ移動させる操作入力に応じて、フォーカスを、同じ列で、あるボタンから少なくとも１つの隣接するボタンへ移動させる、又は、第１の列の一端に位置するボタンから前記第１の列の他端に位置するボタンへフォーカスを移動させ、そして、
フォーカスをＸ方向へ移動させる操作入力に応じて、フォーカスを、同じ行で、あるボタンから少なくとも１つの隣接するボタンへ移動させる、又は、第１の行の一端に位置するボタンから前記第１の行に隣接する第２の行の他端のボタンへ移動させ、
ログインされていない状態である場合、第１のメニュー画面を表示し、単一のユーザのアカウントにログインされている状態である場合、前記第１のメニュー画面とは異なる第２のメニュー画面を表示し、複数のユーザのアカウントにログインされている状態である場合、前記第１のメニュー画面及び前記第２のメニュー画面とは異なる第３のメニュー画面を表示し、
前記第１のメニュー画面、前記第２のメニュー画面、及び前記第３のメニュー画面には、複数のボタンとオンエアー番組を表示する、
情報処理方法。
【請求項９】
前記第３のメニュー画面において、第１のガイド画像、第２のガイド画像及び第３のガイド画像を表示し、前記第１のガイド画像は現在ユーザが視聴している番組を同時視聴している人のリストであり、前記第２のガイド画像は装置をネットワークに接続しているがユーザが視聴している番組とは異なる番組を視聴している人のリストであり、第３のガイド画像は装置をネットワークに接続していない人のリストである、請求項８記載の情報処理方法。
【請求項１０】
複数のセルを含むタイルに表示される１つのガイド画像として、カレンダーの画像を表示する請求項８記載の情報処理方法。
【請求項１１】
前記セル上に表示されるガイド画像として、着信メッセージの受信箱を開くためのガイド画像を表示する請求項８記載の情報処理方法。
【請求項１２】
前記セル上に表示されるガイド画像として、着信メッセージの受信箱を開くためのガイド画像を表示し、前記ガイド画像の一部に着信数を示す数字を表示する、請求項８記載の情報処理方法。
【請求項１３】
さらにメニュー画像の種類を示す複数のタブを画面の水平方向へ並べて表示し、選択決定されたメニュー画像のタブは、中央にてハイライトして表示する請求項８記載の情報処理方法。
【請求項１４】
さらに、メニュー画像の種類を示す複数のタブを画面の水平方向へ配列するように表示し、
前記Ｘ方向へフォーカスを移動させる操作に応じて、前記タブの行の一端のタブから前記タブの行の他端のタブへ、行を変化させることなく同じＸ方向へ、フォーカスを移動させる、請求項８記載の情報処理方法。
【請求項１５】
表示器の画面に表示用の２次元エリアを確保するエリア確保手段と、前記２次元エリアの一部を選択的に指示するフォーカスを移動制御する制御手段を用いる情報処理装置に適用される情報処理プログラムを記録したコンピュータ読み取り可能な情報記録媒体であって、
前記２次元エリアがＹ方向にｎ（正の整数）個の行を有し、前記Ｙ方向と直交するＸ方向にｍ（正の整数）個の列を有する（ｎ×ｍ）個のセルを持ち、
前記情報処理プログラムは、
１以上のセルに対応する複数のボタンを配置して表示させる命令と、
操作入力に応じて、ボタン上のフォーカスの位置を移動させる命令と、
フォーカスをＹ方向へ移動させる操作入力に応じて、フォーカスを、同じ列で、あるボタンから少なくとも１つの隣接するボタンへ移動させる、又は、第１の列の一端に位置するボタンから前記第１の列の他端に位置するボタンへフォーカスを移動させる命令と、
フォーカスをＸ方向へ移動させる操作入力に応じて、フォーカスを、同じ行で、あるボタンから少なくとも隣接するボタンへ移動させる、又は、第１の行の一端に位置するボタンから前記第１の行に隣接する第２の行の他端のボタンへ移動させる命令と、
ログインされていない状態である場合、第１のメニュー画面を表示させ、単一のユーザのアカウントにログインされている状態である場合、前記第１のメニュー画面とは異なる第２のメニュー画面を表示させ、複数のユーザのアカウントにログインされている状態である場合、前記第１のメニュー画面及び前記第２のメニュー画面とは異なる第３のメニュー画面を表示させる命令と、
前記第１のメニュー画面、前記第２のメニュー画面、及び前記第３のメニュー画面には、複数のボタンとオンエアー番組を表示させる命令と、を備える、
コンピュータ読み取り可能な情報記録媒体。
【請求項１６】
さらに、前記プログラムが、前記第３のメニュー画面において、第１のガイド画像、第２のガイド画像及び第３のガイド画像を表示させる命令を備え、前記第１のガイド画像は現在ユーザが視聴している番組を同時視聴している人のリストであり、前記第２のガイド画像は装置をネットワークに接続しているがユーザが視聴している番組とは異なる番組を視聴している人のリストであり、第３のガイド画像は装置をネットワークに接続していない人のリストである、請求項１５記載のコンピュータ読み取り可能な情報記録媒体。
【請求項１７】
前記プログラムは、
複数のセルを含むタイルに表示される１つのガイド画像として、カレンダーの画像を表示させる命令を有する、請求項１５記載のコンピュータ読み取り可能な情報記録媒体。
【請求項１８】
前記プログラムは、
前記セル上に表示されるガイド画像として、着信メッセージの受信箱を開くためのガイド画像を表示させる命令を有する、請求項１５記載のコンピュータ読み取り可能な情報記録媒体。
【請求項１９】
前記プログラムは、
前記セル上に表示されるガイド画像として、着信メッセージの受信箱を開くためのガイド画像を表示させ、前記ガイド画像の一部に着信数を示す数字を表示させる命令を有する、請求項１５記載のコンピュータ読み取り可能な情報記録媒体。
【請求項２０】
前記プログラムは、
さらにメニュー画像の種類を示す複数のタブを画面の水平方向へ並べて表示させ、選択決定されたメニュー画像のタブは、中央にてハイライトして表示する命令を有する、請求項１５記載のコンピュータ読み取り可能な情報記録媒体。
【請求項２１】
前記プログラムは、
メニュー画像の種類を示す複数のタブを画面の水平方向へ配列するように表示させ、
前記Ｘ方向へフォーカスを移動させる操作に応じて、前記タブの行の一端のタブから前記タブの行の他端のタブへ、行を変化させることなく同じＸ方向へ、フォーカスを移動させる命令を有する、請求項１５記載のコンピュータ読み取り可能な情報記録媒体。
【手続補正２】
【補正対象書類名】明細書
【補正対象項目名】発明の名称
【補正方法】変更
【補正の内容】
【発明の名称】情報処理装置、情報処理方法、コンピュータ読み取り可能な情報記録媒体
【手続補正３】
【補正対象書類名】明細書
【補正対象項目名】０００１
【補正方法】変更
【補正の内容】
【０００１】
本発明の実施形態は、情報処理装置、情報処理方法、コンピュータ読み取り可能な情報記録媒体に関する。
【手続補正４】
【補正対象書類名】明細書
【補正対象項目名】０００６
【補正方法】変更
【補正の内容】
【０００６】
そこで、一実施形態では、ユーザに対する通知機能を向上し、使い勝手を向上できる情報処理装置、情報処理方法、コンピュータ読み取り可能な情報記録媒体を提供することを目的とする。
【手続補正５】
【補正対象書類名】明細書
【補正対象項目名】０００７
【補正方法】変更
【補正の内容】
【０００７】
一実施形態によれば、Ｙ方向にｎ（正の整数）個の行を有し、前記Ｙ方向と直交するＸ方向にｍ（正の整数）個の列を有する（ｎ×ｍ）個のセルを持つ２次元エリア上に、１以上のセルに対応する複数のボタンが配置されたメニュー画面を表示する表示手段と、
操作入力に応じて、ボタンのフォーカスの位置を移動する制御手段と、を有し、
前記制御手段は、
Ｙ方向へフォーカスを移動させる操作入力に応じて、少なくとも１つのセルを含むボタンのフォーカスを移動させる、又は、同じ列で、あるボタンから少なくとも１つの隣接するボタンへフォーカスを移動させる、又は第１の列の一端に位置するボタンから前記第１の列の他端に位置するボタンへフォーカスを移動させるものであって、
Ｘ方向へフォーカスを移動させる操作入力に応じて、同じ行で、少なくとも１つの隣接ボタンに対応するボタンへフォーカスを移動させる、又は第１の行の一端に位置するボタンから前記第１の行に隣接する第２の列の他端に位置するボタンへフォーカスを移動させる、ものであり、
前記表示手段により表示されるメニュー画面は、
ログインされていない状態である場合、第１のメニュー画面であり、単一のユーザのアカウントにログインされている状態である場合、前記第１のメニュー画面とは異なる第２のメニュー画面であり、複数のユーザのアカウントにログインされている状態である場合、前記第１のメニュー画面及び前記第２のメニュー画面とは異なる第３のメニュー画面であり、
前記第１のメニュー画面、前記第２のメニュー画面、及び前記第３のメニュー画面は、複数のボタンとオンエアー番組の表示領域を有する。